【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
オーディブル、ビジュアル、及びオーディオビジュアル文書要素を受け取るステップと、
ディスプレイの制約に基づき、前記オーディブル、ビジュアル、及びオーディオビジュアル文書要素と関連する時間属性を計算するステップと、
ディスプレイの制約に基づき、前記オーディブル、ビジュアル、及びオーディオビジュアル文書要素と関連する情報コンテント属性を計算するステップと、
時間及び情報コンテント属性に基づいて、マルチメディア表示に含める１つ以上のオーディブル、ビジュアル、及びオーディオビジュアル文書要素のセットを選択するステップと、を有することを特徴とする方法。
【請求項２】
請求項１に記載の方法であって、
１つのビジュアル文書要素はビジュアルテキスト要素を有し、時間属性の計算はそのビジュアルテキスト要素の時間属性の計算を有し、その計算は、
ズームパラメータを計算するステップと、
必要なパン動作を決定するステップと、
パンとズーム動作を実行するのに要する時間を決定するステップと、を有することを特徴とする方法。
【請求項３】
請求項１に記載の方法であって、
ビジュアルテキスト要素の時間属性の計算は、さらに、
ディスプレイ制約と文書情報に基づき第１のビューのビジュアルテキスト要素の可読性を決定するステップと、
ビジュアルテキスト要素が可読であると判断された場合、音声合成定数とビジュアルテキスト要素中の文字数の積に時間属性を設定するステップと、を有することを特徴とする方法。
【請求項４】
請求項３に記載の方法であって、
第１のビューで可読でない場合、
ズームビューでのビジュアルテキスト要素の可読性を決定するステップと、
ズームビューで可読であれば、音声合成定数とビジュアルテキスト要素中の文字数の積と、ズームビュー中のビジュアルテキスト要素中のタイトルにズームするのに必要な時間を示す定数とを足し合わせた値に、時間制約を設定するステップと、を有することを特徴とする方法。
【請求項５】
請求項４に記載の方法であって、
第１のビューまたはズームビューで可読でない場合、
ビジュアルテキスト要素中のテキストの可読性に必要なズーム量を示すズームファクタを計算するステップと、
パンに必要な時間を決定するステップと、
ズームビューのビジュアルテキスト要素のテキストにズームし、テキスト要素をパンするのに必要な時間に基づき時間属性を設定するステップと、を有することを特徴とする方法。
【請求項６】
請求項３に記載の方法であって、
ディスプレイ制約はディスプレイの幅と高さを含み、文書情報はページの幅と高さに基づくことを特徴とする方法。
【請求項７】
請求項１に記載の方法であって、
オーディオビジュアル文書要素は、テキスト部分を有するオーディオビジュアルテキスト要素を有し、時間属性の計算は、オーディオビジュアル要素の時間属性を、オーディオビジュアル要素のテキスト部分をビジュアルにナビゲーションするのに要する時間と、そのオーディオビジュアル要素に付随する合成テキストを再生するのに要する時間との大きい方として、計算することを特徴とする方法。
【請求項８】
請求項１に記載の方法であって、
オーディオビジュアル文書要素は、図表部分を有するオーディオビジュアルテキスト要素を有し、時間属性の計算は、オーディオビジュアル要素の時間属性を、オーディオビジュアル要素の図表部分をビジュアルに理解するのに要する時間と、そのオーディオビジュアル要素に付随する合成テキストを再生するのに要する時間との大きい方として、計算することを特徴とする方法。
【請求項９】
請求項１に記載の方法であって、
前記１つ以上のオーディオ、ビジュアル、及びオーディオビジュアル文書要素のセットを用いて前記マルチメディア表示を作成するステップと、を有することを特徴とする方法。
【請求項１０】
請求項９に記載の方法であって、
１つ以上のオーディブル、ビジュアル、及びオーディオビジュアル文書要素のセットを用いてマルチメディア表示を作成するステップは、マルチメディア表示を生成するときに１つ以上のオーディブル、ビジュアル、及びオーディオビジュアル文書要素のセットが処理されるナビゲーションパス表示を出力するステップを有することを特徴とする方法。
【請求項１１】
請求項１に記載の方法であって、
時間及び情報コンテント属性に基づいて、１つ以上のオーディブル、ビジュアル、及びオーディオビジュアル文書要素のセットを選択するステップは、
ビジュアルとオーディオビジュアル文書要素の組み合わせか、オーディブルとオーディオビジュアル文書要素の組み合わせのいずれかを選択するステップと、
所与の時間制約に下で文書要素の第１のセットに含まれる情報を最大化するように第１のセットを選択するステップと、
選択された文書要素を最大化した後、マルチメディア表示の残り時間量の下で、文書要素の第２のセットに含まれる情報を最大化するように第２のセットを選択するステップと、を有することを特徴とする方法。
【請求項１２】
オーディブル、ビジュアル、及びオーディオビジュアル文書要素を受け取る手段と、
ディスプレイの制約に基づき、前記オーディブル、ビジュアル、及びオーディオビジュアル文書要素と関連する時間属性を計算する手段と、
ディスプレイの制約に基づき、前記オーディブル、ビジュアル、及びオーディオビジュアル文書要素と関連する情報コンテント属性を計算する手段と、
時間及び情報コンテント属性に基づいて、マルチメディア表示に含める１つ以上のオーディブル、ビジュアル、及びオーディオビジュアル文書要素のセットを選択する手段と、を有することを特徴とする情報処理装置。
【請求項１３】
請求項１２に記載の情報処理装置であって、
１つのビジュアル文書要素はビジュアルテキスト要素を有し、時間属性の計算はそのビジュアルテキスト要素の時間属性の計算を有し、その計算は、
ズームパラメータを計算する手段と、
必要なパン動作を決定する手段と、
パンとズーム動作を実行するのに要する時間を決定する手段と、を有することを特徴とする情報処理装置。
【請求項１４】
請求項１２に記載の情報処理装置であって、
ビジュアルテキスト要素の時間属性の計算は、さらに、
ディスプレイ制約と文書情報に基づき第１のビューのビジュアルテキスト要素の可読性を決定する手段と、
ビジュアルテキスト要素が可読であると判断された場合、音声合成定数とビジュアルテキスト要素中の文字数の積に時間属性を設定する手段と、を有することを特徴とする情報処理装置。
【請求項１５】
請求項１４に記載の情報処理装置であって、
第１のビューで可読でない場合、
ズームビューでのビジュアルテキスト要素の可読性を決定する手段と、
ズームビューで可読であれば、音声合成定数とビジュアルテキスト要素中の文字数の積と、ズームビュー中のビジュアルテキスト要素中のタイトルにズームするのに必要な時間を示す定数とを足し合わせた値に、時間制約を設定する手段と、を有することを特徴とする情報処理装置。
【請求項１６】
請求項１５に記載の情報処理装置であって、
第１のビューまたはズームビューで可読でない場合、
ビジュアルテキスト要素中のテキストの可読性に必要なズーム量を示すズームファクタを計算する手段と、
パンに必要な時間を決定する手段と、
ズームビューのビジュアルテキスト要素のテキストにズームし、テキスト要素をパンするのに必要な時間に基づき時間属性を設定する手段と、を有することを特徴とする情報処理装置。
【請求項１７】
請求項１２に記載の情報処理装置であって、
オーディオビジュアル文書要素は、テキスト部分を有するオーディオビジュアルテキスト要素を有し、時間属性の計算は、オーディオビジュアル要素の時間属性を、オーディオビジュアル要素のテキスト部分をビジュアルにナビゲーションするのに要する時間と、そのオーディオビジュアル要素に付随する合成テキストを再生するのに要する時間との大きい方として、計算することを特徴とする情報処理装置。
【請求項１８】
請求項１２に記載の情報処理装置であって、
オーディオビジュアル文書要素は、図表部分を有するオーディオビジュアルテキスト要素を有し、時間属性の計算は、オーディオビジュアル要素の時間属性を、オーディオビジュアル要素の図表部分をビジュアルに理解するのに要する時間と、そのオーディオビジュアル要素に付随する合成テキストを再生するのに要する時間との大きい方として、計算することを特徴とする情報処理装置。
【請求項１９】
請求項１２に記載の情報処理装置であって、
前記１つ以上のオーディオ、ビジュアル、及びオーディオビジュアル文書要素のセットを用いて前記マルチメディア表示を作成する手段と、を有することを特徴とする情報処理装置。
【請求項２０】
請求項１９に記載の情報処理装置であって、
１つ以上のオーディブル、ビジュアル、及びオーディオビジュアル文書要素のセットを用いてマルチメディア表示を作成する手段は、マルチメディア表示を生成するときに１つ以上のオーディブル、ビジュアル、及びオーディオビジュアル文書要素のセットが処理されるナビゲーションパス表示を出力する手段を有することを特徴とする情報処理装置。
【請求項２１】
請求項１２に記載の情報処理装置であって、
時間及び情報コンテント属性に基づいて、１つ以上のオーディブル、ビジュアル、及びオーディオビジュアル文書要素のセットを選択する手段は、
ビジュアルとオーディオビジュアル文書要素の組み合わせか、オーディブルとオーディオビジュアル文書要素の組み合わせのいずれかを選択する手段と、
所与の時間制約に下で文書要素の第１のセットに含まれる情報を最大化するように第１のセットを選択する手段と、
選択された文書要素を最大化した後、マルチメディア表示の残り時間量の下で、文書要素の第２のセットに含まれる情報を最大化するように第２のセットを選択する手段と、を有することを特徴とする情報処理装置。
【請求項２２】
コンピュータに、請求項１ないし１１いずれか一項記載の方法ステップを実行させることを特徴とするコンピュータプログラム。